(57)【要約】【課題】撮像装置における画像の視認性を損なうことなく、誤入力を防止する。【解決手段】ワイド表示に対応した表示画面を有する表示部２４の全面に設けられたタッチパネル２３は外部からの接触を検出し、制御部２０は撮像部２１によって撮像される画像をワイド表示又は４：３表示で表示させ、このアスペクト比に応じてタッチパネル２３が検出すべき検出範囲を変更する。【選択図】図３
2010062706.tif 000002
【特許請求の範囲】
【請求項１】
ワイド表示に対応した第１のアスペクト比の表示画面を有する表示手段と、
この表示手段における表示画面全面に設けられ、この表示画面に対する外部からの接触を検出する接触検出手段と、
撮像手段と、
この撮像手段によって撮像される画像を前記第１のアスペクト比で前記表示手段に表示させるか，又は、この第１のアスペクト比とは比率が異なる第２のアスペクト比で前記表示手段に表示させるかを選択して設定する設定手段と、
この設定手段により設定されたアスペクト比に応じて、前記接触検出手段が検出すべき検出範囲を変更する変更手段と、
を備えることを特徴とする撮像装置。
【請求項２】
前記変更手段によって変更された前記接触検出手段における検出範囲への特定の接触を検出すると、撮像動作に係る設定内容に対応する指標を前記表示手段に表示するよう制御する表示制御手段を更に備えたことを特徴とする請求項１に記載の撮像装置。
【発明の詳細な説明】
【技術分野】
【０００１】
本発明は、撮像装置に関する。
【背景技術】
【０００２】
デジタルカメラやカメラ機能付き携帯電話等の撮像装置においては、液晶モニタ等の表示画面が設けられている。この表示画面には、撮影前のスルー画像や撮影した画像が表示される。表示画面の前面にはタッチパネルが設置されることもあり、このタッチパネルから、設定内容の変更等の各種指示を入力することができる撮像装置が開発されている。
【０００３】
近年においては、上記のような撮像装置の小型化が進んでいる。また、画像の視認性を向上させるために表示画面の大型化が望まれている。このため、大型の表示画面を搭載した撮像装置においては、撮影時に機器本体を握る部分（グリップスペース）が狭くなってしまう。このため、撮影時にはユーザの指と表示画面が重なってしまい、表示画面における画像が視認しづらくなってしまう。
【０００４】
特許文献１には、ユーザによってカメラが把持されたことが検出されると、タッチパネルのグリップ部分（ユーザの指が当たる部分）に重ならないように、画像表示領域を変更し、当該画像の視認性を向上する技術が記載されている。
【特許文献１】特開２００３−２０９７１９号公報
【発明の開示】
【発明が解決しようとする課題】
【０００５】
しかしながら、特許文献１に開示された技術では、撮影時のスルー画像の視認性を向上させることはできるが、撮影時に撮像装置を握った際の誤入力の防止をすることはできない。撮影時に撮像装置を握った際に、指がタッチパネルに触れてしまい、誤入力の原因となる恐れがあるからである。表示画面は、複数のアスペクト比に対応して画像を表示させることもできるが、このアスペクト比に応じたアイコン等の表示設計がなされていないため、画面領域をアスペクト比に応じてグリップスペースとして有効に利用することもできなかった。
【０００６】
本発明は、上記問題点に鑑みて成されたものであり、その目的とするところは、撮像装置における画像の視認性を損なうことなく、誤入力を防止することである。
【課題を解決するための手段】
【０００７】
上記課題を解決するために、請求項１に記載の発明は、
ワイド表示に対応した第１のアスペクト比の表示画面を有する表示手段と、
この表示手段における表示画面全面に設けられ、この表示画面に対する外部からの接触を検出する接触検出手段と、
撮像手段と、
この撮像手段によって撮像される画像を前記第１のアスペクト比で前記表示手段に表示させるか，又は、この第１のアスペクト比とは比率が異なる第２のアスペクト比で前記表示手段に表示させるかを選択して設定する設定手段と、
この設定手段により設定されたアスペクト比に応じて、前記接触検出手段が検出すべき検出範囲を変更する変更手段と、
を備えることを特徴とする。
【０００８】
請求項２に記載の発明は、請求項１に記載の発明において、
前記変更手段によって変更された前記接触検出手段における検出範囲への特定の接触を検出すると、撮像動作に係る設定内容に対応する指標を前記表示手段に表示するよう制御する表示制御手段を更に備えたことを特徴とする。
【発明の効果】
【０００９】
本発明によれば、撮像装置における撮影時の画像の視認性を損なうことなく、誤入力を防止することができる。
【発明を実施するための最良の形態】
【００１０】
まず、本発明に係る撮像装置の実施形態を適用したデジタルカメラ１０の構成について説明する。なお、本発明は図示例のものに限定されるものではない。
【００１１】
図１に、本実施の形態におけるデジタルカメラ１０の内部構成を示す。デジタルカメラ１０は、図１に示すように、制御部２０、撮像部２１、Ａ／Ｄ（Analog-Digital）変換部２２、タッチパネル２３、表示部２４、記憶部２５、画像処理部２６、操作部２７、Ｉ／Ｆ（InterFace）２８、外部記憶Ｉ／Ｏ（InputOutput）部２９等を備えて構成される。
【００１２】
制御部２０は、ＣＰＵ（Central Processing Unit）等により構成され、記憶部２５に格納された制御プログラムに従って、デジタルカメラ１０の各部を統括的に制御する。
【００１３】
撮像部２１は、撮像手段として機能し、レンズユニットやＣＣＤ（Charge Coupled Device）等から構成され、レンズユニットを介して入射された撮影画像をアナログ信号に光電変換する。本実施の形態においては、撮像部２１はＡＦ（Auto Focus）機能を備えており、レンズユニットの焦点距離（ピント）を変化させることができる。
【００１４】
Ａ／Ｄ変換部２２は、撮像部２１で得られたアナログ信号をデジタル信号に変換し、制御部２０へ入力する。
【００１５】
タッチパネル２３は、接触検出手段として機能し、表示部２４と一体となって設けられ、表示部２４の表示画面に接触する操作者の指の接触位置を検出する。即ち、タッチパネル２３は、例えば、表示部２４の表示画面上或いは表示画面よりも内側に設けられ、抵抗膜方式、超音波表面弾性波方式、静電容量方式等の方式により、表示画面上における接触位置のＸＹ座標を検出する。
【００１６】
図２に、本実施の形態におけるタッチパネル２３の領域を模式的に示す。
図２に示すように、タッチパネルの領域は平面座標系（以下、ＸＹ座標という）で表され、外部から接触された部分の座標を検出する。本実施の形態においては、タッチパネルの水平方向（Ｘ軸方向、図２の例では長辺）を３２０等分した座標、及び垂直方向（Ｙ軸方向、図２の例では短辺）を１８０等分した座標で表現する。タッチパネル２３は、外部からの接触によって検出した座標を制御部２０に対して入力する。
【００１７】
表示部２４は、表示手段として機能し、アスペクト比が１６：９の表示画面である。アスペクト比とは、表示画面の長辺と短辺の比率である。デジタルカメラ１０の本体の背面に設置され、ＬＣＤ（Liquid Crystal Display）やＥＬ（Electroluminescent）ディスプレイ、ＬＥＤ（Light Emitting Diode）等を備え、制御部２０から入力される表示制御信号に従って、所要の表示処理を行う。また、表示部２０は、レンズを介して入力された撮影画像（以下、スルー画像という）を連続的に表示するファインダとしての機能も有する。なお、表示部２４を、デジタルカメラ１０の本体の背面だけでなく上面にも備えるようにしてもよい。
【００１８】
本実施の形態におけるデジタルカメラ１０においては、表示部２４に表示させる画像は２種類の画面モードがある。画面モードとは、表示部２４に表示されるスルー画像のアスペクト比の設定であり、本実施の形態においては、第１のアスペクト比として「ワイド表示」と、第２のアスペクト比として「４：３表示」の２種類の画面モードを有する。
ワイド表示とは、表示画面のアスペクト比が１６：９の表示形態である。先述したようなアスペクト比が１６：９のタッチパネル２３の場合、ワイド表示の場合は表示部２４の全体にスルー画像が表示されることになる。
一方、４：３表示とは、アスペクト比が４：３の表示形態である。つまり、４：３表示の場合は、先述したタッチパネル２３に表示されるスルー画像は、例えば（０、０）（タッチパネル２３のＸ座標が「０」であり、Ｙ座標が「０」であることを示す。以下同じ。）と（２４０、１８０）を結ぶ線分を対角線とする長方形の領域等、アスペクト比が４：３となる領域にスルー画像が表示されることになる。
これらの画面モードは、予め記憶部２５に画面モードに対応する設定値が記憶されており、スルー画像を表示部２４に表示させる際に制御部２０が当該設定値を参照することによって、画面モード（つまりワイド表示であるか、４：３表示であるか）を判断することになる。
【００１９】
記憶部２５は、コンピュータ読み取り可能な記憶媒体としての不揮発性の半導体メモリにより構成され、制御部２０によって実行される各種制御プログラム、後述する設定内容変更処理を始めとする各種処理プログラム及びこれらのプログラムの実行に必要なパラメータや、撮像した画像データ、後述する設定内容テーブルＴ１、設定状態テーブルＴ２等を記憶する。
なお、上記記憶部２５以外のその他のコンピュータ読み取り可能な媒体として、フラッシュメモリ等の不揮発性メモリ、ＣＤ−ＲＯＭ等の可搬型記録媒体を適用することが可能である。また、本発明に係るプログラムのデータを通信回線（図示せず）を介して提供する媒体として、キャリアウェーブ（搬送波）も適用可能である。
【００２０】
画像処理部２６は、画像処理のための回路から構成され、撮像部２１で撮像された画像に対し、圧縮処理等の各種画像処理を行う。
【００２１】
操作部２７は、主電源ボタン、シャッターキー、レリーズボタン、再生ボタン、モード切替ボタン、カーソルボタン等により構成され、操作部２７を構成する各種ボタンの押下による操作信号を制御部２０に出力する。操作部２７からの入力により、撮影のための撮影モードや各種機能設定モードへの以降の指示を制御部２０に対して入力することができる。
なお、撮像を行う際には、まず操作部２７のシャッターキーを半押しする。半押しとは、シャッターキーの可動域の中間点付近までシャッターキーを押し込むことを示す。この半押し動作に対応する信号が操作部２７から制御部２０に対して入力されると、制御部２０は、記憶部２５に記憶された各種設定内容に応じて設定処理を行う。
この状態で、シャッターキーが全押しされると、この全押し動作に対応する信号が操作部２７から制御部２０に対して入力される。全押しとは、シャッターキーの可動域いっぱいまでシャッターキーを押し込むことをいう。この全押し動作に対応する信号が制御部２０に入力されると、半押しの際に設定した設定内容に基づいてピント合わせ等の撮像処理が行われることになる。
【００２２】
Ｉ／Ｆ２８は、デジタルカメラ１０と外部機器を接続するためのインターフェースであり、デジタルカメラ１０と外部機器のデータ送受信を仲介する。
【００２３】
外部記憶Ｉ／Ｏ部２９は、フラッシュメモリ等の半導体メモリが着脱可能な構成になっている。
【００２４】
次に、動作について説明する。
図３及び図４に、デジタルカメラ１０によって実行される撮像処理のフローチャートを示す。撮像処理は、操作部２７から制御部２０に対して被写体を撮影するための撮影モード移行が指示された際に、制御部２０と記憶部２５に記憶されたプログラムとの協働によるソフトウェア処理により実現される。
撮像処理では、表示部２４の画面モードに応じてタッチパネル２３の検出範囲を変更するとともに、表示部２４に設定内容変更のための各種アイコンを表示させる。なお、以下における処理は制御部２０によって行われ、撮像処理により制御部２０は設定手段、変更手段、及び表示制御手段として機能する。
【００２５】
まず、表示部２４の画面モードが判断される（ステップＳ１）。画面モードは、先述したようにワイド表示であるか、４：３表示であるかを示す設定値が予め記憶部２５に記憶されている。ステップＳ１においては、先述したように記憶部２５に保持されている設定値を参照することによって画面モードを判断し、この画面モードでスルー画像を表示させることになる。
【００２６】
表示部２４の画面モードがワイド表示である場合（ステップＳ１；ワイド）、記憶部２５に記憶されたＭＥＮＵアイコンＢ１１を表示部２４に表示させ、当該アイコン以外の箇所について、タッチパネル２３からの入力（タッチ検出）を受け付けないように無効化させる（ステップＳ１０１）。次いで、撮像部２１を介して制御部２０に入力される被写体のスルー画像が表示部２４の表示画面Ｇ１１に全画面表示され（ステップＳ１０２）、設定されている設定内容が表示画面Ｇ１１に表示されているスルー画像に重畳させて表示される（ステップＳ１０３）。
【００２７】
図５（ａ）に、ワイド表示の際に表示部２４に表示される表示画面Ｇ１１の一例を示す。図５（ａ）に示すように、表示画面Ｇ１１はスルー画像Ｇ１１ａ、ＭＥＮＵアイコンＢ１１、及び設定内容表示領域Ｇ１１ｂ等から構成される。
スルー画像Ｇ１１ａは、撮像部２１を介して制御部２０に入力された被写体のスルー画像である。ＭＥＮＵアイコンＢ１１は、ステップＳ１０１においてタッチ検出が有効化されている領域に表示されるアイコンである。設定内容表示領域Ｇ１１ｂは、ステップＳ１０３においてスルー画像Ｇ１１ａに重畳して表示される設定内容である。この設定内容表示領域Ｇ１１ｂは後述する設定状態テーブルＴ２に格納されているアイコンを表示させてもよいし、記憶部２５に予め別のアイコンを用意しておいて表示させるようにしても良い。また、図５（ａ）の例では設定内容のうち１つのみ表示しているが、複数の設定内容を表示させてもよい。
【００２８】
図５（ａ）に示す例では、ＭＥＮＵアイコンＢ１１に対応する箇所のタッチパネル２３以外の領域（図５（ａ）の例では、スルー画像Ｇ１１ａ、設定内容表示領域Ｇ１１ｂの領域）は、ステップＳ１０１においてタッチの検出は無効化される。タッチの検出の無効化とは、タッチパネル２３がタッチされ制御部２０に対して当該タッチされた座標が入力された場合に、当該座標をタッチしたと制御部２０が判断しないことをいう。以降の説明においても同様とする。
【００２９】
例えば、図５に示す例では、ＭＥＮＵアイコンＢ１１が重畳表示されている領域（例えば、（２４０、２０）と（３２０、４０）を対角線とする長方形で囲まれる領域等）に対応する座標からの接触を検知した場合にのみ、制御部２０はタッチパネル２３に接触が検知されたと認識し、ＭＥＮＵアイコンＢ１１以外の領域の座標からの接触を検知した場合には、タッチパネル２３に接触が検知されたと認識しないことになる。ＭＥＮＵアイコンＢ１１に対応する領域（座標）は、予め記憶部２５に記憶されている。制御部２０は、記憶部２５を参照し、このＭＥＮＵアイコンＢ１１に対応する領域以外の座標が、タッチパネル２３から入力された場合は、タッチパネル２３がタッチされたとは認識しない。
【００３０】
次いで、ＭＥＮＵアイコンＢ１１へのタッチ操作が検出されたか否かが判断される（ステップＳ１０４）。つまり、ステップＳ１０１においてタッチ検出が無効化されなかった領域に対してタッチが検出されたか否かが判断される。
ＭＥＮＵアイコンＢ１１へのタッチ操作が検出されたと判断された場合（ステップＳ１０４；ＹＥＳ）、設定内容テーブルＴ１が参照され、表示画面Ｇ１２の右端に設定メニューが表示される（ステップＳ１０５）。
【００３１】
図６に、ステップＳ１０５において表示画面Ｇ１２が表示される際に参照される設定内容テーブルＴ１のデータ格納例を示す。
設定内容テーブルＴ１は、「表示座標（ワイド表示）」フィールド、「検出範囲（ワイド表示）」フィールド、「表示座標（４：３表示）」フィールド、「検出範囲（４：３表示）」フィールド、「表示状態」フィールド、及び「設定内容（大区分）」フィールド等から構成される。
【００３２】
「表示座標（ワイド表示）」フィールドには、表示部２４の画面モードがワイド表示の場合に、レコードに対応するアイコンが表示される座標が格納される。座標とは、先述したタッチパネル２３上のＸＹ座標のことである。
「検出範囲（ワイド表示）」フィールドには、表示部２４の画面モードがワイド表示の場合に、レコードに対応するアイコンに対するタッチパネル２３からの入力を検出する範囲の座標が格納される。具体的には、例えば「（２４０，１４０）−（３２０，１６０）」の値は、タッチパネル２３上の座標が（２４０，１４０）と（３２０，１６０）とを結ぶ線分を対角線とする長方形の領域で囲まれる座標からのタッチが検出された場合に、当該レコードに対応するアイコンがタッチパネル２３から選択されたことを示す。
「表示座標（４：３表示）」フィールドには、表示部２４の画面モードが４：３表示の場合に、レコードに対応するアイコンが表示される座標が格納される。
「検出範囲（４：３表示）」フィールドには、表示部２４の画面モードが４：３表示の場合に、レコードに対応するアイコンのタッチパネル２３からの入力を検出する範囲の座標が格納される。
「表示状態」フィールドには、表示画面Ｇ１２に表示されるアイコンが格納される。なお、当該「表示状態」フィールドに格納されるアイコンは、設定内容に対応する指標であり、図６に示す例ではワイド表示と４：３表示で共に同じアイコンを使用しているが、画面モードに応じて異なるアイコンを用いても構わない。
「設定内容（大区分）」フィールドには、レコードに対応するアイコンが示す撮像動作に係る設定内容が格納される。この設定内容は、後述する設定状態テーブルＴ２の「設定内容（大区分）」フィールドと値が対応付けられている。
【００３３】
図５（ｂ）に、ステップＳ１０５において表示部２４に表示される表示画面Ｇ１２の一例を示す。図５（ｂ）に示すように、表示画面Ｇ１２はスルー画像Ｇ１２ａ、及び設定メニューアイコンＢ１２〜Ｂ１８等から構成される。
スルー画像Ｇ１２ａは、表示画面Ｇ１１に表示されているスルー画像Ｇ１１ａと同様のスルー画像である。設定メニューアイコンＢ１２〜Ｂ１８は、ステップＳ１０５において表示される設定メニューである。以降、設定メニューアイコンＢ１２〜Ｂ１８をまとめて設定メニューという。
【００３４】
ステップＳ１０５においては、具体的には、設定内容テーブルＴ１が参照され、「表示座標（ワイド表示）」フィールドに格納された座標に、対応するレコードの「表示状態」フィールドのアイコンが表示されることになる。
【００３５】
図３に戻り、タッチパネル２３の全ての領域からのタッチ検出が有効化される（ステップＳ１０６）。次いで、タッチ検出内容に応じて設定内容変更処理が実行される（ステップＳ１０７）。
【００３６】
図７に、ステップＳ１０７及び後述するステップＳ２０６において実行される設定内容変更処理のフローチャートを示す。図７に示すように、まず、表示部２４の画面モードが判断される（ステップＳ３０１）。表示部２４の画面モードがワイド表示であった場合（ステップＳ３０１；ワイド）、ワイド表示での設定メニューの検出範囲でタッチパネル２３からのタッチが検出されたか否かが判断される（ステップＳ３０２）。具体的には、設定内容テーブルＴ１が参照され、「検出範囲（ワイド表示）」フィールドに対応する領域からのタッチが検出されたか否かが判断されることになる。
【００３７】
ワイド表示での設定メニューの検出範囲でタッチパネル２３からのタッチが検出されたと判断された場合（ステップＳ３０２；ＹＥＳ）、設定状態テーブルＴ２が参照され、表示部２４の表示画面Ｇ１３に詳細設定アイコンが表示される（ステップＳ３０３）。
【００３８】
図８に、ステップＳ３０３において参照される設定状態テーブルＴ２のデータ格納例を示す。図８に示すように、設定状態テーブルＴ２は「設定内容（大区分）」フィールド、「設定内容（詳細）」フィールド、「設定フラグ」フィールド、「表示状態（ワイド表示）」フィールド、「表示座標（ワイド表示）」フィールド、「検出範囲（ワイド表示）」フィールド、「表示状態（４：３表示）」フィールド、「表示座標（４：３表示）」フィールド、及び「検出範囲（４：３表示）」フィールド等から構成される。
【００３９】
「設定内容（大区分）」フィールドには、設定内容テーブルＴ１の「設定内容（大区分）」フィールドに対応する値が格納される。
「設定内容（詳細）」フィールドには、大区分の設定内容に対応した詳細な設定内容が格納される。
「設定フラグ」フィールドには、当該レコードに対応する設定内容を選択しているか否かを示す値が格納される。本実施の形態において「０」は選択していない状態を示し、「１」は選択している状態を示す。図８に示す例では、「フォーカスモード」は設定内容が「マクロ」として選択されていることを示す。
「表示状態（ワイド表示）」フィールドには、表示部２４の画面モードがワイド表示の場合、表示画面Ｇ１３に表示される詳細設定アイコンが格納される。「表示座標（ワイド表示）」フィールドには、表示部２４の画面モードがワイド表示の場合、レコードに対応する詳細設定アイコンを表示させるべきタッチパネル２３上の座標が格納される。「検出範囲（ワイド表示）」フィールドには、表示部２４の画面モードがワイド表示の場合、レコードに対応するアイコンのタッチパネル２３からの入力を検出する範囲の座標が格納される。
「表示状態（４：３表示）」フィールドには、表示部２４の画面モードが４：３表示の場合、表示画面Ｇ１３に表示される詳細設定アイコンが格納される。「表示座標（４：３表示）」フィールドには、表示部２４の画面モードが４：３表示の場合、レコードに対応する詳細設定アイコンを表示させるべきタッチパネル２３上の座標が格納される。「検出範囲（４：３表示）」フィールドには、表示部２４の画面モードが４：３表示の場合、レコードに対応するアイコンのタッチパネル２３からの入力を検出する範囲の座標が格納される。
【００４０】
図５（ｃ）に、ステップＳ３０３において表示される表示画面Ｇ１３の一例を示す。図５（ｃ）に示すように、表示画面Ｇ１３はスルー画像Ｇ１３ａ、設定メニューアイコンＢ１２〜Ｂ１８、及び詳細設定アイコンＢ１５ａ〜Ｂ１５ｄ等から構成される。
表示画面Ｇ１３はスルー画像Ｇ１３ａ、設定メニューアイコンＢ１２〜Ｂ１８は、それぞれ表示画面Ｇ１２のスルー画像Ｇ１２ａ、設定メニューアイコンＢ１２〜Ｂ１８と同様であるので説明を省略する。
詳細設定アイコンＢ１５ａ〜Ｂ１５ｄは、ステップＳ３０２において設定メニューでタッチが検出されたと判断された時に表示される詳細設定アイコンである。図５（ｃ）に示す詳細設定アイコンＢ１５ａ〜Ｂ１５ｄは、ステップＳ３０２において設定メニューアイコンＢ１５へのタッチが検出された場合に表示される詳細設定アイコンの場合を示す。他の設定メニュー（設定メニューアイコンＢ１１〜Ｂ１４及び設定メニューアイコンＢ１６〜Ｂ１８）へのタッチが検出された場合も、設定状態テーブルＴ２の「表示状態（ワイド表示）」フィールドが参照され同様の詳細設定アイコンが表示される。
【００４１】
ステップＳ３０３においては、具体的には、ステップＳ３０２においてタッチが検出された設定メニューに対応する設定内容（大区分）が参照される。例えば、表示画面Ｇ１２において、設定メニューアイコンＢ１５がタッチされた場合には、設定内容（ワイド表示）テーブルＴ１の「設定内容（大区分）」フィールドから「フォーカスモード」の値が参照される。そして、設定状態テーブルＴ２の「設定内容（大区分）」フィールドの値が「フォーカスモード」であるレコードが抽出される。当該抽出されたレコードの「表示座標（ワイド表示）」フィールドの値の位置に「表示状態（ワイド表示）」フィールドの詳細設定アイコンが表示されることにより、詳細設定アイコンＢ１５ａ〜Ｂ１５ｄが表示されることになる。
なお、図５（ｃ）に示す表示画面Ｇ１３の例では、設定状態テーブルＴ２の「設定フラグ」が「１」となっているレコードに対応する詳細設定アイコンＢ１５ｂが、現在設定されている内容を示す旨の網掛け表示をさせている。
【００４２】
図７に戻り、タッチパネル２３の詳細設定アイコンの検出範囲（図５（ｃ）に示す表示画面Ｇ１３の場合、詳細設定アイコンＢ１５ａ〜Ｂ１５ｄに対応する検出範囲）に対してタッチが検出されたか否かが判断される（ステップＳ３０４）。詳細設定アイコンの検出範囲に対してタッチが検出されたと判断された場合（ステップＳ３０４；ＹＥＳ）、当該検出範囲に対応した設定内容が設定される（ステップＳ３０５）。具体的には、設定状態テーブルＴ２の「検出範囲（ワイド表示）」フィールドが参照され、タッチが検出された検出範囲と一致するレコードの「設定フラグ」フィールドの値が「１」となり、当該レコードと「設定内容（大区分）」フィールドの値を同じとするレコードの「設定フラグ」フィールドの値が「０」となる。図５（ｃ）に示す表示画面Ｇ３の例では、例えば、詳細設定アイコンＢ５ａがタッチされた場合、設定状態テーブルＴ２の「設定内容」フィールドの値が「ＡＦ」のレコードの「設定フラグ」フィールドの値が「１」となり、「設定内容」フィールドの値が「マクロ」のレコードの「設定フラグ」フィールドの値が「０」となる。
【００４３】
次いで、ステップＳ３０５において変更された設定条件を基に設定内容テーブルＴ１が更新され、表示部２４に表示画面Ｇ１４が表示される（ステップＳ３０６）。具体的には、設定内容テーブルＴ１の「表示状態」フィールドに、ステップＳ３０４において選択されたアイコン（図５の例では詳細設定アイコンＢ１５ａ）が格納され、設定メニューアイコンＢ１５が当該アイコンに更新される。この更新された内容に基づいて表示画面Ｇ１４が表示される。
【００４４】
図５（ｄ）に、ステップＳ３０６において表示される表示画面Ｇ１４の一例を示す。図５（ｄ）に示す表示画面Ｇ１４の構成は表示画面Ｇ１２と同様であるので説明を省略する。
図５（ｄ）に示す例では、図５（ｃ）に示す表示画面Ｇ１３において詳細設定アイコンＢ１５ａがタッチされた場合における、ステップＳ３０６において表示される表示画面Ｇ１４の例を示す。設定メニューアイコンＢ１５が、詳細設定アイコンＢ１５ａに対応するアイコンに変化して表示されることになる。
【００４５】
一方、表示画面Ｇ１２の設定メニューでタッチパネル２３からのタッチが検出されたと判断されない場合（ステップＳ３０２；ＮＯ）、詳細設定アイコンの検出範囲に対してタッチが検出されたと判断されない場合（ステップＳ３０４；ＮＯ）、処理はステップＳ１０８に移行する。
【００４６】
図３に戻り、設定メニューが表示されている領域以外での領域でのタッチ操作が検出されたか否かが判断される（ステップＳ１０８）。ここで、設定メニューが表示されている領域以外での領域とは、表示画面Ｇ１２においては、設定メニューアイコンＢ１２〜Ｂ１８以外のタッチパネル２３の領域を示し、表示画面Ｇ１３においては、設定メニューアイコンＢ１２〜Ｂ１８及び詳細設定アイコン（図５（ｃ）の例では、詳細設定アイコンＢ１５ａ〜Ｂ１５ｄを示す）以外の領域を示す。
【００４７】
設定メニューが表示されている領域以外での領域でのタッチ操作が検出されたと判断された場合（ステップＳ１０８；ＹＥＳ）、処理はステップＳ１０１に戻る。
設定メニューが表示されている領域以外での領域でのタッチ操作が検出されたと判断されない場合（ステップＳ１０８；ＮＯ）、処理はステップＳ１０７に戻る。
【００４８】
一方、ＭＥＮＵアイコンＢ１１へのタッチ操作が検出されたと判断されない場合（ステップＳ１０４；ＮＯ）、操作部２７のシャッターキーへの半押し操作が検出されたか否かが判断される（ステップＳ１０９）。
操作部２７のシャッターキーへの半押し操作が検出されたと判断された場合（ステップＳ１０９；ＹＥＳ）、設定状態テーブルＴ２が参照され、各設定内容に基づいて処理が行われる（ステップＳ１１０）。具体的には、例えば、「フォーカスモード」が「ＡＦ」であれば、ＡＦ処理が行われ、「露出値」を参照してＡＥ（Automatic Exposure）処理が行われ、「ホワイトバランス」が「オートホワイトバランス」であればＡＷＢ処理等が行われることになる。
【００４９】
次いで、操作部２７のシャッターキーへの全押し操作が検出されたか否かが判断される（ステップＳ１１１）。操作部２７のシャッターキーへの全押し操作が検出されたと判断された場合（ステップＳ１１１；ＹＥＳ）、当該全押し操作によって制御部２０に対して撮像指示が入力され、撮像部２１を介して入力されている被写体の画像データが画像処理部２６によって圧縮符号化され記憶部２５に記憶され（ステップＳ１１２）、処理はステップＳ１０２に戻る。
【００５０】
操作部２７のシャッターキーへの全押し操作が検出されたと判断されない場合（ステップＳ１１１；ＮＯ）、当該シャッターキーへの半押し操作の解除が検出されたか否かが判断される（ステップＳ１１３）。
当該シャッターキーへの半押し操作の解除が検出されたと判断された場合（ステップＳ１１３；ＹＥＳ）、処理はステップＳ１０２に戻る。当該シャッターキーへの半押し操作の解除が検出されたと判断されない場合（ステップＳ１１３；ＮＯ）、処理はステップＳ１１１に戻る。
【００５１】
操作部２７のシャッターキーへの半押し操作が検出されたと判断されない場合（ステップＳ１０９；ＮＯ）、操作部２７から制御部２０に対して撮影モードを解除するよう指示が入力されたか否かが判断される（ステップＳ１１４）。
撮影モードを解除するよう指示が入力されたと判断されない場合（ステップＳ１１４；ＮＯ）、処理はステップＳ１０２に戻る。
撮影モードを解除するよう指示が入力されたと判断された場合（ステップＳ１１４；ＹＥＳ）、処理は終了する。
【００５２】
以上説明した処理は表示部２４の画面モードがワイド表示の場合である。以下、表示部２４の画面モードが４：３表示の場合を説明する。
表示部２４の画面モードが４：３表示である場合（ステップＳ１；４：３）、図４に移行し、タッチパネル２３のグリップエリアＥ１以外の箇所についてタッチ検出を無効化し（ステップＳ２０１）、表示画面Ｇ２１のスルー画像Ｇ２１ａが表示される（ステップＳ２０２）。
【００５３】
図９（ａ）に、ステップＳ２０２で表示される表示画面Ｇ２１の一例を示す。図９（ａ）に示すように、表示画面Ｇ２１は、スルー画像Ｇ２１ａとグリップエリアＥ１から構成される。
スルー画像Ｇ２１ａは、撮像部２１を介して制御部２０に入力された被写体の画像であり、表示画面Ｇ２１の場合は４：３表示で表示される。
グリップエリアＥ１とは、表示画面Ｇ２１のうちスルー画像Ｇ２１ａが表示される領域以外の領域である。本実施の形態においては、４：３表示では座標（０、０）と（２４０、１８０）を結ぶ線分を対角線とする長方形で囲まれた領域にスルー画像Ｇ２１ａが表示されている。図９（ａ）に示す例では、座標（２４０、０）と（３６０、１８０）を結ぶ線分を対角線とする長方形で囲まれた領域がグリップエリアＥ１である。なお、グリップエリアＥ１は４：３表示のスルー画像表示状態においてタッチ検出が有効化される領域であればよく、本実施の形態に限られない。
このグリップエリアＥ１以外の領域（図９（ａ）の例では、スルー画像Ｇ２１ａの領域である）は、ステップＳ２０１においてタッチ検出が無効化されている。
【００５４】
次いで、グリップエリアＥ１の所定位置に対して、一定時間のタッチ持続が検出されたか否かが判断される（ステップＳ２０３）。この位置（座標）と時間は予め記憶部２５に記憶されて値が保持されており、ステップＳ２０３においては、例えばグリップエリアＥ１に対してタッチパネル２３からのタッチ持続が３秒経過したか否か等を判断することになる。なお、グリップエリアＥ１の所定位置は、グリップエリアＥ１の全体でもよいし、ユーザが触れやすい特定の位置を予め定めていてもよい。
【００５５】
グリップエリアＥ１の所定位置に対して、一定時間のタッチ持続が検出されたと判断された場合（ステップＳ２０３；ＹＥＳ）、設定内容テーブルＴ１が参照され、表示画面Ｇ２２のグリップエリアＥ１の左側の列に設定メニューが表示される（ステップＳ２０４）。具体的には、設定内容テーブルＴ１の「表示座標（４：３表示）」フィールドが参照され、この座標に「表示状態」フィールドに格納されたアイコンが表示されることになる。
【００５６】
図９（ｂ）に、ステップＳ２０４において表示される表示画面Ｇ２２の一例を示す。図９（ｂ）に示すように、表示画面Ｇ２２は、スルー画像Ｇ２２ａ、設定メニューアイコンＢ２２〜Ｂ２８、グリップエリアＥ１等から構成される。スルー画像Ｇ２２ａ、設定メニューアイコンＢ２２〜Ｂ２８は表示画面Ｇ１２と略同様の構成であるので説明を省略する。ただし、図９（ｂ）に示すように、表示画面Ｇ２２においては設定メニューアイコンＢ２２〜Ｂ２８が表示される位置が表示画面Ｇ１２と異なる。設定内容テーブルＴ１の「表示座標（ワイド表示）」フィールドと「表示座標（４：３表示）」フィールドに格納されている座標が異なるためである。
【００５７】
次いで、タッチパネル２３全体のタッチ検出が有効化される（ステップＳ２０５）。設定メニューが表示されている領域のタッチパネル２３からのタッチ検出が有効化されると、ステップＳ１０７と同様に、タッチ検出内容に応じた設定内容変更処理が実行される（ステップＳ２０６）。
【００５８】
図７に戻り、ステップＳ２０６において実行される設定内容変更処理を説明する。画面モードは４：３であるので、ステップＳ３０１においては、表示部２４の画面モードが４：３表示であると判断され（ステップＳ３０１；４：３）、４：３表示での設定メニューの検出範囲でタッチパネル２３からのタッチが検出されたか否かが判断される（ステップＳ３１２）。ステップＳ３１２における処理は、ステップＳ３０２と略同様であるが、設定内容テーブルＴ１の「検出範囲（４：３）」フィールドが参照される点でステップＳ３０２と異なる。なお、本実施の形態においては、「検出範囲（４：３）」フィールドに格納された値は、グリップエリアＥ１の位置と対応付けられている。
【００５９】
ステップＳ３１２における処理は、ステップＳ３０２の処理と略同様であるが設定状態テーブルＴ２の「表示状態（４：３）」フィールドと「表示座標（４：３）」フィールドが参照され、表示画面Ｇ２３が表示される点でステップＳ３０３と異なる。
【００６０】
図９（ｃ）に、ステップＳ３１３において表示される表示画面Ｇ２３の一例を示す。表示画面Ｇ２３の構成は、表示画面Ｇ１３と略同様である。先述したように、設定状態テーブルＴ２の「検出範囲（４：３）」フィールドの値はグリップエリアＥ１と対応付けられているので、グリップエリアＥ１のタッチ位置に対応して、詳細設定アイコンＢ１５ａ〜Ｂ１５ｄが表示されることになる。この状態でグリップエリアＥ１のタッチ位置をスライド（つまりユーザが指をタッチパネル２３に触れたまま上下にスライドさせる）等すると当該タッチ位置の移動と設定内容テーブルＴ２の「検出範囲（４：３）」フィールドに格納された値が一致するレコードの詳細設定アイコンが同様に表示されることになる。
【００６１】
続くステップＳ３１４〜ステップＳ３１６における処理は、それぞれステップＳ３０４〜ステップＳ３０６と略同様であるので説明を省略する。
図９（ｄ）に、ステップＳ３１６において表示される表示画面Ｇ２４の例を示す。図９（ｄ）に示す例では、表示画面Ｇ２３において詳細設定アイコンＢ２５ａが選択された場合を示す。表示画面Ｇ１４と同様に、選択された詳細設定アイコンＢ２５ａに対応するアイコンに変更されることになる。
【００６２】
また、図４に示すステップＳ２０６以降のステップＳ２０７〜ステップＳ２１３における処理は、それぞれステップＳ１０８〜ステップＳ１１４と同様であるので説明を省略する。
【００６３】
以上のように、本実施の形態におけるデジタルカメラ１０は、画面モードがワイド表示の場合は、ＭＥＮＵアイコンがタッチされた場合に設定メニューが表示され、画面モードが４：３表示の場合は、グリップエリアＥ１にタッチ持続が検出された場合に設定メニューが表示される。したがって、撮影時にデジタルカメラ１０を把持した際に、タッチパネル２３にタッチされる部分のタッチ検出を無効化するので、撮影時に誤って設定メニューを触れてしまう誤入力を防止できる。また、撮影時は設定メニューが表示部２４に表示されないので、スルー画像を表示画面２４の全体で表示させることができ、視認性が向上するとともに、設定メニューを必要な時にのみ表示させ、設定を行うことができる。
【００６４】
また、画面モードに応じてタッチパネル２３からのタッチ検出範囲を変更しているので、ユーザが設定した画面モードに応じて誤入力の防止を行うことができ、かつ、表示部２４の表示画面上の領域をグリップスペースとして利用ができ、デジタルカメラ１０を確実に把持して撮影を行うことができる。
【００６５】
また、４：３表示の場合、グリップエリアＥ１のタッチ検出に応じて設定メニューを選択する／しないを判断しているので、スルー画像を表示させる必要の無い領域を有効活用して設定内容の選択操作を行うことができる。
【００６６】
なお、本実施の形態における記述は、本発明の一例を示すものであり、これに限定されない。例えば、本実施の形態ではデジタルカメラ１０を例に挙げて説明したが、カメラ機能及びタッチパネルを併設した携帯電話等であってもよく、本実施の形態における説明は本発明を限定するものではない。
【００６７】
また、タッチパネル２３は図２に示す座標を例に挙げたがこれに限られない。画面モードに応じてタッチパネル２３からの検出範囲を変更することができればよく、別のアスペクト比のタッチパネル２３を用いてもよい。
【００６８】
また、本実施の形態においては、ワイド表示の場合はＭＥＮＵアイコンＢ１１がタッチされた場合に設定メニューが表示されるようにしたが、予め定められた特定のタッチパネル２３からの接触であればよく、これに限られない。例えばワイド表示の場合であっても、本実施の形態における４：３表示の場合と同様、グリップエリアＥ１の領域にタッチ維持が所定の時間経過した場合に設定メニューが表示されるようにしてもよい。４：３表示の場合も同様、予め定められた特定のタッチパネル２３からの接触であればよい。
【００６９】
また、本実施の形態においては、４：３表示の場合のグリップエリアＥ１をスルー画像の右側に表示したが、グリップエリアの位置はタッチパネル２３の予め定められた領域であればよく、これに限られない。例えば、シャッターキーがタッチパネル２３に向かって左側に備えられている場合は、スルー画像を表示部２４の右側に表示させ、グリップエリアＥ１を左側にしてもよい。
【００７０】
また、本実施の形態における設定内容テーブルＴ１及び設定状態テーブルＴ２に格納される情報は、設定メニューを表示するための検出範囲の情報が格納されていればよく、これに限られない。例えば、本実施の形態においては、画面モードとしてワイド表示と４：３表示を基に説明したが、他の画面モードの機能がある場合は、当該画面モードに対応した、設定メニューを表示するための検出範囲の情報が格納されていてもよい。
【００７１】
その他、本実施の形態に係るデジタルカメラ１０を構成する各装置の細部構成及び細部動作に関しても、発明の趣旨を逸脱することのない範囲で適宜変更可能である。
【図面の簡単な説明】
【００７２】
【図１】本実施の形態におけるデジタルカメラを示す機能ブロック図である。
【図２】図１のタッチパネルの構成を示す模式図である。
【図３】図１の制御部によって実行される撮像処理を示すフローチャートである。
【図４】図１の制御部によって実行される撮像処理を示すフローチャートである。
【図５】ワイド表示の場合に図１の表示部に表示される画面例である。
【図６】図１の記憶部に記憶される設定内容テーブルの一例を示す模式図である。
【図７】図１の制御部によって実行される設定内容変更処理を示すフローチャートである。
【図８】図１の記憶部に記憶される設定状態テーブルの一例を示す模式図である。
【図９】４：３表示の場合に図１の表示部に表示される画面例である。
【符号の説明】
【００７３】
１０  デジタルカメラ
２０  制御部
２１  撮像部
２２  Ａ／Ｄ変換部
２３  タッチパネル
２４  表示部
２５  記憶部
２６  画像処理部
２７  操作部
２８  Ｉ／Ｆ
２９  外部記憶Ｉ／Ｏ部
【図１】
2010062706.tif 000003
【図２】
2010062706.tif 000004
【図３】
2010062706.tif 000005
【図４】
2010062706.tif 000006
【図５】
2010062706.tif 000007
【図６】
2010062706.tif 000008
【図７】
2010062706.tif 000009
【図８】
2010062706.tif 000010
【図９】
2010062706.tif 000011